(57)【要約】【課題】本発明は、複数人で共同使用しているプリンタにおいて、印刷物が取り忘れられて排紙トレイ上に残っていた場合にも、印刷ジョブに含まれる印刷者情報・印刷枚数・用紙サイズ等を元に、排出と礼状に堆積した印刷物が誰のものであるかを容易に特定できる印刷装置を提供するものである。【解決手段】ネットワークを介して接続される複数のホスト機器が出力する印刷データ及び該印刷データの発信元識別情報を含む印刷ジョブを受信して印刷処理を行う印刷装置であって、前記各印刷ジョブを受信する受信手段と、前記各印刷ジョブに含まれる印刷データに基づいて指定された記録媒体に印刷処理を実行する印刷手段と、前記印刷ジョブ毎の印刷処理に応じた記録媒体の排出量を計数する計数手段と、前記計数手段の計数結果を前記各発信元識別情報別に記録する印刷ジョブ履歴管理テーブル作成手段と、過去に遡った所定数の印刷ジョブに対する印刷ジョブ履歴管理テーブルの内容を表示する表示手段とを備えることを特徴とする。【選択図】  図１
2010214912.tif 000002
【特許請求の範囲】
【請求項１】
ネットワークを介して接続される複数のホスト機器が出力する印刷データ及び該印刷データの発信元識別情報を含む印刷ジョブを受信して印刷処理を行う印刷装置において、
前記印刷装置は、
前記各印刷ジョブを受信する受信手段と、
前記各印刷ジョブに含まれる印刷データに基づいて指定された記録媒体に印刷処理を実行する印刷手段と、
前記印刷ジョブ毎の印刷処理に応じた記録媒体の排出量を計数する計数手段と、
前記計数手段の計数結果を前記各発信元識別情報別に記録する印刷ジョブ履歴管理テーブル作成手段と、
過去に遡った所定数の印刷ジョブに対する印刷ジョブ履歴管理テーブルの内容を表示する表示手段と、
を備えることを特徴とする印刷装置。
【請求項２】
前記発信元識別情報は、ホスト機器の識別情報であることを特徴とする請求項１記載の印刷装置。
【請求項３】
前記発信元識別情報は、前記ホスト機器を操作して前記印刷ジョブを前記印刷装置へ送信した発信操作者の識別情報であることを特徴とする請求項１記載の印刷装置。
【請求項４】
前記記録媒体の排出量は、前記印刷ジョブの実行に応じて前記印刷装置から排出される記録媒体のサイズ情報別の出力枚数であることを特徴とする請求項１記載の印刷装置。
【請求項５】
前記ホスト機器から新たに入力した印刷ジョブに含まれる発信元識別情報と、最も新しく作成された前記ジョブ管理テーブル情報に記録されている印刷ジョブに対する前記発信元識別情報とを比較一致判別し、発信元識別情報が一致する場合は、新たに入力した印刷ジョブに対する前記排出量情報を同一発信元識別情報の下に集約して前記ジョブ履歴管理テーブルに更新記録することを特徴とする請求項１記載の印刷装置。
【請求項６】
前記集約処理は、記録媒体種別毎の排出枚数カウンタの積算計数処理を継続する処理であることを特徴とする請求項５記載の印刷装置。
【発明の詳細な説明】
【技術分野】
【０００１】
本発明は、作成者の異なる複数の印刷データを印刷出力し、排紙部に順次排出する印刷装置に関する。
【背景技術】
【０００２】
今日、コンピュータネットワークが広く構築され、１台の印刷装置に複数のパーソナルコンピュータ（ＰＣ）を接続して印刷処理を行う印刷システムが広く使用されている。このようなシステムにおいては、１台の印刷装置によって複数のユーザによる印刷出力が行われ、排紙部には複数人の印刷出力が順次排出される。
かかる場合、ユーザが印刷物を直ぐに取りに行けばよいが、印刷物の回収に時間が掛かり、又は印刷出力を忘れる場合もある。このため、印刷装置の排紙部には誰の印刷出力か分からない印刷物が蓄積し、この状態を解決するには、個々人に確認する等の煩雑な手間が必要である。
【０００３】
尚、特許文献１は、印刷物を取り忘れている場合、あらかじめ登録された印刷者の携帯電話に音声コールをかけ、また印刷者が印刷装置の近くを通った時、アラーム音を鳴らすことで通知するものである。
また、特許文献２は、印刷指示を行ったホストコンピュータが前回と異なる場合、受信した印刷ジョブを実行する前に、仕切紙として選択された用紙にホスト識別キャラクタを印字して排紙する印刷装置を開示する。
【先行技術文献】
【特許文献】
【０００４】
【特許文献１】特開２００８−２２９９１３
【特許文献２】特開平０５−２１２９２９
【発明の概要】
【発明が解決しようとする課題】
【０００５】
しかしながら、上記従来の方法では追加設備を要するか、又は追加の印刷を行う必要があり、取り忘れられた印刷物に関する情報を印刷者以外の人に対しても簡便に提供する印刷装置は提案されていない。
【０００６】
そこで、本発明は印刷ジョブに含まれる印刷者に関する情報と、印刷の際の印刷物に関する情報とを、印刷装置を共用するユーザーに対して提供することができる印刷装置を提供するものである。
【課題を解決するための手段】
【０００７】
上記課題は第１の発明によれば、ネットワークを介して接続される複数のホスト機器が出力する印刷データ及び該印刷データの発信元識別情報を含む印刷ジョブを受信して印刷処理を行う印刷装置において、前記印刷装置は、前記各印刷ジョブを受信する受信手段と、前記各印刷ジョブに含まれる印刷データに基づいて指定された記録媒体に印刷処理を実行する印刷手段と、前記印刷ジョブ毎の印刷処理に応じた記録媒体の排出量を計数する計数手段と、前記計数手段の計数結果を前記各発信元識別情報別に記録する印刷ジョブ履歴管理テーブル作成手段と、過去に遡った所定数の印刷ジョブに対する印刷ジョブ履歴管理テーブルの内容を表示する表示手段とを備えることを特徴とする印刷装置を提供することによって達成できる。
【０００８】
上記課題は第２の発明によれば、前記発信元識別情報は、ホスト機器の識別情報であることを特徴とする印刷装置を提供することによって達成できる。
【０００９】
上記課題は第３の発明によれば、前記発信元識別情報は、前記ホスト機器を操作して前記印刷ジョブを前記印刷装置へ送信した発信操作者の識別情報であることを特徴とする印刷装置を提供することによって達成できる。
【００１０】
上記課題は第４の発明によれば、前記記録媒体の排出量は、前記印刷ジョブの実行に応じて前記印刷装置から排出される記録媒体のサイズ情報別の出力枚数である印刷装置を提供することによって達成できる。
【００１１】
上記課題は第５の発明によれば、前記ホスト機器から新たに入力した印刷ジョブに含まれる発信元識別情報と、最も新しく作成された前記ジョブ管理テーブル情報に記録されている印刷ジョブに対する前記発信元識別情報とを比較一致判別し、発信元識別情報が一致する場合は、新たに入力した印刷ジョブに対する前記排出量情報を同一発信元識別情報の下に集約して前記ジョブ履歴管理テーブルに更新記録する印刷装置を提供することによって達成できる。
【発明の効果】
【００１２】
本発明によれば、複数人で共同使用しているプリンタに於いて、印刷物が取り忘れられて排紙トレイ上に残っていた場合においても、印刷ジョブに含まれる印刷者情報・印刷枚数・用紙サイズ等を基に、排紙トレイ上に重なり合って印刷出力された印刷物が誰のものであるかを容易に知ることができる。
【図面の簡単な説明】
【００１３】
【図１】プリンタ装置１のインターフェースコントローラの回路ブロック図である。
【図２】本実施形態に使用するプリンタ装置１をネットワークを介してホスト機器であるパーソナルコンピュータ（ＰＣ）に接続したシステム構成図である
【図３】本実施形態の初期設定処理を説明するフローチャートである。
【図４】（ａ）〜（ｅ）は、印刷例１におけるＳＤＲＡＭに記憶される印刷ジョブ履歴管理テーブルのデータ構成例を示す図である。
【図５】本実施形態の処理動作を説明するフローチャートである。
【図６】（ａ）〜（ｅ）は、印刷例１における表示部における表示例を示す図である。
【図７】（ａ）〜（ｅ）は、印刷例２におけるＳＤＲＡＭに記憶される印刷ジョブ履歴管理テーブルのデータ構成例を示す図である。
【図８】（ａ）〜（ｅ）は、印刷例２における表示部における表示例を示す図である。
【図９】リアルタイムクロック（ＲＴＣ）を使用して表示部に時刻表示を行う例を示す図である。
【図１０】ユーザの名前を漢字表示する例を示す図である。
【発明を実施するための形態】
【００１４】
以下、本発明の実施の形態を図面を参照しながら説明する。
図２は、本実施形態に使用するプリンタ装置（印刷装置）１をネットワークを介してホスト機器であるパーソナルコンピュータ（ＰＣ）に接続したシステム構成図である。同図において、プリンタ装置１はＬＡＮ（local area network）を介してパーソナルコンピュータ（ＰＣ）に接続され、パーソナルコンピュータ（ＰＣ）から印刷データを受信する。
【００１５】
本例においては、５台のパーソナルコンピュータ（ＰＣ１〜５）がハブ（ＨＵＢ）２を介してプリンタ装置１に接続されている。また、プリンタ装置１にはＵＳＢポートを使用して１台のパーソナルコンピュータ（ＰＣ６）が接続されている。
尚、本例においてパーソナルコンピュータ（ＰＣ１）のユーザは土屋氏でコンピュータ名は（ＴＳＵＣＨＩＹＡ）であり、パーソナルコンピュータ（ＰＣ２）のユーザは山田氏でコンピュータ名は（Ｙａｍａｄａ）であり、パーソナルコンピュータ（ＰＣ３）のユーザは小川氏でコンピュータ名は（Ｓ．Ｏｇａｗａ）であり、パーソナルコンピュータ（ＰＣ４）のユーザは高橋氏でコンピュータ名は（Ｔａｋａｈａｓｈｉ）であり、パーソナルコンピュータ（ＰＣ５）のユーザは伊藤氏でコンピュータ名は（Ｋ．Ｉｔｏ）であり、パーソナルコンピュータ（ＰＣ６）はノートパソコンでコンピュータ名はＮＯＴＥ１であり、ユーザは特に特定されていないものとする。
【００１６】
図１は、上記プリンタ装置１のインターフェース（Ｉ／Ｆ）コントローラの回路ブロック図である。Ｉ／Ｆコントローラ３は、ＣＰＵ４、ＳＤＲＡＭ５、フラッシュメモリ（ＦＬＡＳＨ）６、リアルタイムクロック（ＲＴＣ）７、ＥＥＰＲＯＭ８で構成され、更にＬＡＮ用ＰＨＹ（ｐｈｙｓｉｃａｌ  ｌａｙｅｒ）９は前述のパーソナルコンピュータ（ＰＣ１〜５）との通信制御を行い、ＵＳＢインターフェース１０は前述のパーソナルコンピュータ（ＰＣ６）との通信制御を行う。また、ＡＳＩＣ（ａｐｐｌｉｃａｔｉｏｎ  ｓｐｅｃｉｆｉｃ  ｉｎｔｅｇｒａｔｅｄ  ｃｉｒｃｕｉｔ）１１を介して、エンジン部１２に接続され、ＣＯＭＭＡＮＤ信号およびＳＴＡＴＵＳ信号の授受を行うと共に、ビデオ信号をエンジン部１２に送信する。
【００１７】
また、オペレーションパネル１４は表示部１５を有し、表示部１５には後述する印刷ジョブ履歴管理テーブルの表示が行われる。この表示部１５に表示されるデータの中で、例えばＳＤＲＡＭ５に記憶された印刷ジョブの発信元識別情報としてのコンピュータ名（ユーザ名）とメモリ値が表示される。
【００１８】
以上の構成において、以下に本例の処理動作を説明する。
先ず、図３に示すフローチャートに従って初期設定処理を行う。先ず、ＰＣＮＡＭＥ１のエリアに空白文字（例えば、アスキーコードでは、“２０Ｈ”）を埋め、Ａ３ＣＮＴ１のエリアを０にクリアし、Ａ４ＣＮＴ１のエリアを０にクリアし、ＯＴＨＥＲＣＮＴ１の値を０にクリアする（ステップ（以下、ＳＴで示す）１）。ここで、図４はＳＤＲＡＭ５内に構成される印刷ジョブ履歴管理テーブルのメモリ構成を示す図であり、ＳＤＲＡＭ５には受信した各印刷ジョブの発信元識別情報を格納するＰＣＮＡＭＥ(コンピュータ名：ユーザ名)、Ａ３ＣＮＴ（Ａ３サイズ用紙の使用量を示すカウンタ）、Ａ４ＣＮＴ（Ａ４サイズ用紙の使用量を示すカウンタ）、及びＯＴＨＥＲＣＮＴ（他のサイズ用紙の使用量を示すカウンタ）の各エリアが設けられ、例えば３ユーザ（印刷ジョブの発信元）分のデータ記憶テーブルが構築されている。そして、上記ＰＣＮＡＭＥ１、Ａ３ＣＮＴ１、Ａ４ＣＮＴ１、及びＯＴＨＥＲＣＮＴ１は、最初のユーザ情報を記憶するエリアを初期設定する処理である。
【００１９】
次に、同様にして、ＰＣＮＡＭＥ２のエリアに空白文字を埋め、Ａ３ＣＮＴ２のエリアを０にクリアし、Ａ４ＣＮＴ２のエリアを０にクリアし、ＯＴＨＥＲＣＮＴ２のエリアを０にクリアする（ＳＴ２）。さらに、同様にしてＰＣＮＡＭＥ３のエリアに空白文字を埋め、Ａ３ＣＮＴ３のエリアを０にクリアし、Ａ４ＣＮＴ３のエリアを０にクリアし、ＯＴＨＥＲＣＮＴ３のエリアを０にクリアする（ＳＴ３）。
【００２０】
次に、上記のようにして、ＳＤＲＡＭ５の初期設定を行った後、図５に示すフローチャートを実行する。この処理はプリンタ装置１にホスト機器であるパーソナルコンピュータ（ＰＣ１〜５）の何れかから印刷データを受信した場合の処理であり、プリンタ装置１は印刷データを受信すると、受信データに付加された印刷ジョブの発信元識別情報としてのコンピュータ名（ユーザ名）とＰＣＮＡＭＥ１の値を比較する（ステップ（以下、Ｓで示す）１）。この最初の処理では、前述のようにＳＤＲＡＭ５内の印刷ジョブ履歴管理テーブルの各エリアは初期設定されており、受信データに付加されたコンピュータ名（ユーザ名）とＰＣＮＡＭＥ１は一致しない（Ｓ２がＮＯ）。したがって、この場合以下の処理（Ｓ３〜Ｓ５）を実行する。
【００２１】
先ず、ＰＣＮＡＭＥ２の値をＰＣＮＡＭＥ３にコピーし、Ａ３ＣＮＴ２の値をＡ３ＣＮＴ３にコピーし、Ａ４ＣＮＴ２の値をＡ４ＣＮＴ３にコピーし、ＯＴＨＥＲＣＮＴ２の値がＯＴＨＥＲＣＮＴ３にコピーする（Ｓ３）。さらに、ＰＣＮＡＭＥ１の値をＰＣＮＡＭＥ２にコピーし、Ａ３ＣＮＴ１の値をＡ３ＣＮＴ２にコピーし、Ａ４ＣＮＴ１の値をＡ４ＣＮＴ２にコピーし、ＯＴＨＥＲＣＮＴ１の値をＯＴＨＥＲＣＮＴ２にコピーする（Ｓ４）。上記処理によって、図４(ａ)に示すように２番目のユーザ情報が３番目のユーザ情報のエリアに移動し、１番目のユーザ情報が２番目のユーザ情報のエリアに移動し、最初のユーザ情報のエリアを空ける。
【００２２】
次に、空いた最初のユーザ情報のエリアに、上記印刷データのヘッダに付加された情報を記録する。すなわち、今回の受信データのヘッダ情報に付加されたコンピュータ名をＰＣＮＡＭＥ１に格納し、Ａ３ＣＮＴ１のエリアを０とし、Ａ４ＣＮＴ１のエリアを０とし、ＯＴＨＥＲＣＮＴ１のエリアを０とする（Ｓ５）。本例の場合、図４（ｂ）に示すように、ＰＣＮＡＭＥ１として小川氏（Ｓ．Ｏｇａｗａ）の情報が記憶される。
【００２３】
次に、印刷するページの用紙サイズがＡ３であるか判断する（Ｓ６）。ここで、用紙サイズがＡ３である場合（Ｓ６がＹＥＳ）、Ａ３サイズの用紙を給紙カセットから搬出して印刷データに従った印刷処理を行う（Ｓ７）。そして、Ａ３ＣＮＴ１を＋１する（Ｓ８）。一方、用紙サイズがＡ３ではない場合（Ｓ６がＮＯ）、更に印刷する用紙サイズがＡ４であるか判断する（Ｓ９）。
【００２４】
ここで、用紙サイズがＡ４である場合（Ｓ９がＹＥＳ）、Ａ４サイズの用紙を給紙カセットから搬出して印刷データに従った印刷処理を行う（Ｓ１０）。そして、Ａ４ＣＮＴ１を＋１する（Ｓ１１）。一方、用紙サイズがＡ４ではない場合（Ｓ９がＮＯ）、他のサイズの用紙によって印刷処理を行い（Ｓ１２）、ＯＴＨＥＲＣＮＴ１を＋１する（Ｓ１３）。本例の場合、図４（ｂ）に示すように、上記小川氏（Ｓ．Ｏｇａｗａ）からの印刷データに従ってＡ３サイズの印刷処理が１枚行われたものとする。
【００２５】
また、この時プリンタ装置１の表示部１５には図６（ｂ）の表示が行われる。尚、同図（ａ）の表示は、前述の初期状態の表示部１５の表示例である。
次に、プリンタ装置１に新たな印刷データが入力すると、上記と同様の処理が行われる。すなわち、先ず受信データに付加されたコンピュータ名（ユーザ名）とＰＣＮＡＭＥ１の値を比較し（Ｓ１）、同じであるか否か判断する（Ｓ２）。ここで、例えば山田氏（Ｙａｍａｄａ）のパーソナルコンピュータ（ＰＣ２）から供給された印刷データであるとすると、上記判断（Ｓ３）はＮＯであり、前述と同様、ＰＣＮＡＭＥ２の値をＰＣＮＡＭＥ３にコピーし、Ａ３ＣＮＴ２の値をＡ３ＣＮＴ３にコピーし、Ａ４ＣＮＴ２の値をＡ４ＣＮＴ３にコピーし、ＯＴＨＥＲＣＮＴ２の値がＯＴＨＥＲＣＮＴ３にコピーする（Ｓ３）。さらに、ＰＣＮＡＭＥ１の値をＰＣＮＡＭＥ２にコピーし、Ａ３ＣＮＴ１の値をＡ３ＣＮＴ２にコピーし、Ａ４ＣＮＴ１の値をＡ４ＣＮＴ２にコピーし、ＯＴＨＥＲＣＮＴ１の値をＯＴＨＥＲＣＮＴ２にコピーする（Ｓ４）。そして、上記処理によって、最初のユーザ情報のエリアを空け、新たな山田氏（Ｙａｍａｄａ）の情報をＰＣＮＡＭＥ１に記憶する（Ｓ５）。
【００２６】
さらに、印刷するページの用紙サイズがＡ３であるか判断し（Ｓ６）、用紙サイズがＡ３である場合（Ｓ６がＹＥＳ）、Ａ３サイズの用紙を給紙カセットから搬出して印刷データに従った印刷処理を行う（Ｓ７）。一方、用紙サイズがＡ３ではない場合（Ｓ６がＮＯ）、更に印刷する用紙サイズがＡ４であるか判断する（Ｓ９）。そして、用紙サイズがＡ４である場合（Ｓ９がＹＥＳ）、Ａ４サイズの用紙を給紙カセットから搬出して印刷データに従った印刷処理を行う（Ｓ１０）。一方、用紙サイズがＡ４ではない場合（Ｓ９がＮＯ）、他のサイズの用紙によって印刷処理を行う（Ｓ１２）。本例の場合、図４（ｃ）に示すように、上記山田氏（Ｙａｍａｄａ）からの印刷データに従ってＡ４サイズの印刷処理が３枚行われたものとする。この場合、（Ｓ６がＮＯ）、（Ｓ９がＹＥＳ）、Ｓ１０、Ｓ１１、（Ｓ１４がＮＯ）、再び（Ｓ６がＮＯ）というルートを３枚分・３回繰り返し、３回目に（Ｓ１４がＹＥＳ）となり１つの印刷ジョブが終了する。
また、この時プリンタ装置１の表示部１５には図６（ｃ）の表示が行われ、プリンタ装置１に出力された印刷物のユーザと印刷枚数を容易に知ることができる。
【００２７】
次に、プリンタ装置１に更に新たな印刷データが入力すると、上記と同様の処理が行われ、先ず受信データに付加されたコンピュータ名（ユーザ名）とＰＣＮＡＭＥ１を比較し（Ｓ１）、同じであるか否か判断する（Ｓ２）。ここで、例えば土屋氏（ＴＳＵＣＨＩＹＡ）のパーソナルコンピュータ（ＰＣ１）から供給された印刷データであるとすると、上記判断（Ｓ２）はＮＯであり、前述と同様、処理（Ｓ３、Ｓ４）を実行し、最初のユーザ情報のエリアを空け、新たな土屋氏（ＴＳＵＣＨＩＹＡ）の情報をＰＣＮＡＭＥ１に記憶する（Ｓ５）。
【００２８】
さらに、印刷するページの用紙サイズがＡ３であるか（Ｓ６）、又は用紙サイズがＡ４であるか（Ｓ９）、又は他の用紙サイズであるか判断を行い、本例の場合図４（ｄ）に示すように、上記土屋氏（ＴＳＵＣＨＩＹＡ）からの印刷データに従ってＡ３サイズの印刷処理が５枚行われたものとする。この場合、（Ｓ６がＹＥＳ）、Ｓ７、Ｓ８、（Ｓ１４がＮＯ）再び（Ｓ６がＮＯ）というルートを５枚分・５回繰り返した後、５回目に（Ｓ１４がＹＥＳ）となり１つの印刷ジョブが終了する。また、この時プリンタ装置１の表示部１５には図６（ｄ）の表示が行われ、プリンタ装置１に出力された印刷物のユーザと印刷枚数を容易に知ることができる。
【００２９】
次に、プリンタ装置１に更に新たな印刷データが入力すると、上記と同様の処理が行われ、受信データに付加されたコンピュータ名（ユーザ名）とＰＣＮＡＭＥ１が比較され（Ｓ１、Ｓ２）、例えば同じ土屋氏（ＴＳＵＣＨＩＹＡ）からの印刷データの入力であれば（Ｓ２）がＹＥＳであり、Ｓ３，Ｓ４，Ｓ５の処理は行われず、Ｓ６へと飛ぶ。次に印刷するページの用紙サイズがＡ３であるか（Ｓ６）、又は用紙サイズがＡ４であるか（Ｓ９）、又は他の用紙サイズであるか判断を行う。ここで、土屋氏（ＴＳＵＣＨＩＹＡ）から供給された印刷データによってＡ４サイズの用紙２０枚の印刷が行われたものとすると、Ｓ６がＮＯ）、（Ｓ９がＹＥＳ）、Ｓ１０、Ｓ１１、（Ｓ１４がＮＯ）、再び（Ｓ６がＮＯ）というルートを２０枚分・２０回繰り返し、２０回目に（Ｓ１４がＹＥＳ）となり１つの印刷ジョブが終了する。
ＳＤＲＡＭ５のエリアに記憶されるデータは図４（ｅ）に示すものである。この様に同一人物が複数の印刷ジョブを続けて行った場合、すなわち土屋が、まずＡ３を５枚印刷し、次にＡ４を２０枚印刷した場合は、図６（ｅ）の様に同一行に表示される。
即ち、発信元識別情報が一致する印刷ジョブが連続した場合は、同一発信元識別情報の下に集約されてジョブ履歴管理テーブルとして更新されるものである。
尚、印刷枚数のカウントエリア、Ａ３ＣＮＴ１等々へは、用紙トレイに排出された用紙の枚数がカウントされて行くので、例え両面印刷であっても１枚なら１カウントとなる。
また、印刷中に紙ジャムが発生し、排出完了しなかった場合は、カウントされない。
この様に表示することで、プリンタ装置１の排紙トレイ上に排出された印刷済み用紙のサイズ及び枚数と、図１表示部１５に表示される内容が、用紙の重なり順も含めて、きちんと対応することになり、プリンタ装置１に出力された印刷物のユーザと印刷枚数を容易に知ることができる。
【００３０】
以上のように、本例によれば印刷履歴一覧が表示されるので、印刷出力された印刷物が誰のものであるかを容易に知ることができ、取り忘れなどに伴う、無駄な再印刷等を防ぐこともできる。
【００３１】
次に、他の印字データに基づいた印刷例２について具体的に説明する。
図７は本例のデータ構成であり、前述のＳＤＲＡＭ５に構築される印刷ジョブ履歴管理テーブルのテーブル構成である。また、図７(ａ)は前述の初期設定状態のＳＤＲＡＭ５の状態を示し、図８（ａ）は表示部１５の表示状態を示す。
【００３２】
前述と同様、小川氏（Ｓ．Ｏｇａｗａ）のパーソナルコンピュータ（ＰＣ３）から印刷データが供給されると、前述と同様の処理を行い、ＳＤＲＡＭ５には図７（ｂ）に示すように、ＰＣＮＡＭＥ１には小川氏（Ｓ．Ｏｇａｗａ）の情報が記憶され、図８（ｂ）に示すように小川氏（Ｓ．Ｏｇａｗａ）のＡ４サイズの印刷処理が１枚行われたことが表示される。
【００３３】
次に、山田氏（Ｙａｍａｄａ）のパーソナルコンピュータ（ＰＣ２）から印刷データが供給されると、ＳＤＲＡＭ５には図７（ｃ）に示すように、ＰＣＮＡＭＥ１には山田氏（Ｙａｍａｄａ）の情報が記憶され、図８（ｂ）に示すように山田氏（Ｙａｍａｄａ）のＡ４サイズの印刷処理が１２枚行われたことが表示される。
【００３４】
さらに、再度小川氏（Ｓ．Ｏｇａｗａ）のパーソナルコンピュータ（ＰＣ３）から印刷データが供給されると、ＳＤＲＡＭ５には図７（ｄ）に示すように、ＰＣＮＡＭＥ１には小川氏（Ｓ．Ｏｇａｗａ）の情報が記憶され、図８（ｄ）に示すように小川氏（Ｓ．Ｏｇａｗａ）のＡ４サイズの印刷処理が３枚行われたことが表示される。
【００３５】
本例の場合、小川が２回目の印刷ジョブを実行した際には、その直前に印刷した者が山田なので、図５のＳ１，Ｓ２でＮＯとなり、同じ小川氏（Ｓ．Ｏｇａｗａ）のエリアにデータを追加するのではなく、新たなユーザと判断して印刷用紙のサイズと印刷枚数を記録する。この様に記憶・表示することで、プリンタ装置１の排紙トレイ上に排出された印刷済み用紙のサイズ及び枚数と、図１表示部１５に表示される内容が、用紙の重なり順も含めて、きちんと対応することになる。すなわち、排紙トレイの一番上からＡ４、３枚は小川の印刷したものであり、その下のＡ４、１２枚は山田の印刷したものであり、一番下のＡ４、１枚は小川の印刷したものであることが判る。
このようにすることにより、印刷物の回収を容易にすることができる。
【００３６】
尚、図７（ｅ）はユーザによって印刷物が除去された場合を示し、ユーザが印刷物を取りにきたならば、敢えて履歴表示を行う必要もないのでデータを消去する例である。この場合、表示部１５の表示も（ｅ）に示す状態になる。
この動作は例えばユーザがオペレーションパネル１４の特定のキーを操作した際に実行される様にプログラムすれば良い。
【００３７】
また、図９は前述のリアルタイムクロック（ＲＴＣ）７を使用して表示部１５に時刻表示を行う例であり、図１０は一般にアルファベットで表示されるコンピュータ名の代わりにユーザの名前を漢字表示する例を示している。このように構成することにより、表示を明確にし、ユーザ名の間違えを防止することができる。
【００３８】
尚、本実施形態の説明では、ＳＤＲＡＭ５にユーザ情報や用紙サイズ、印刷枚数の情報からなる印刷ジョブ履歴管理テーブルを記憶させたが、ＥＥＰＲＯＭ８等の他の記憶装置に記憶させる構成としてもよい。また、記録されるデータも３ユーザ分に限らず、４ユーザ、５ユーザ、・・・と、更に多くのデータを記録し、表示する構成としてもよい。
また、上述した実施形態の説明では、各コンピュータのユーザは常に同一であるものとして、コンピュータ名で印刷ジョブの発信元を識別する方法を示したが、本発明はこの方法に限らず、各コンピュータの利用者を装置の起動時にユーザＩＤ情報入力などの方法により登録してから利用する方式のコンピュータである場合には、そのユーザＩＤ情報を前記印刷ジョブの発信元識別情報として印刷ジョブ履歴管理テーブルに登録する構成（ＰＣＮＡＭＥをＵＳＥＲＩＤに）にすることもできる。
【符号の説明】
【００３９】
１・・・プリンタ装置
２・・・ハブ
３・・・Ｉ／Ｆコントローラ
４・・・ＣＰＵ
５・・・ＳＤＲＡＭ
６・・・フラッシュメモリ
７・・・リアルタイムクロック（ＲＴＣ）
８・・・ＥＥＰＲＯＭ
９・・・ＬＡＮ用ＰＨＹ
１０・・ＵＳＢインターフェース
１１・・ＡＳＩＣ
１２・・エンジン部
１４・・オペレーションパネル
１５・・表示部
ＰＣ１〜ＰＣ６・・パーソナルコンピュータ
【図１】
2010214912.tif 000003
【図２】
2010214912.tif 000004
【図３】
2010214912.tif 000005
【図４】
2010214912.tif 000006
【図５】
2010214912.tif 000007
【図６】
2010214912.tif 000008
【図７】
2010214912.tif 000009
【図８】
2010214912.tif 000010
【図９】
2010214912.tif 000011
【図１０】
2010214912.tif 000012